(57)【要約】双方向無線通信機を使用してオーディオ信号および／またはビデオ信号を送受信する装置および方法。双方向無線通信機は、送信システムおよび受信システムを含む。送信システムは、ディジタル化されたビデオ信号およびディジタル化されたオーディオ信号を送信するように構成される。受信システムは、第２のディジタル化されたビデオ信号および第２のディジタル化されたオーディオ信号を受信するように構成される。
2006510305.tif 000002
【特許請求の範囲】
【請求項１】
送信システムおよび受信システムを含む双方向無線通信機を具備し、前記送信システムが第１のディジタル化されたビデオ信号を送信するように構成され、前記送信システムが第１のディジタル化されたオーディオ信号を送信するように構成され、前記受信システムが第２のディジタル化されたビデオ信号を受信するように構成され、前記受信システムが第２のディジタル化されたオーディオ信号を受信するように構成された、デバイス。
【請求項２】
前記送信システムが符号器ブロックを含み、該符号器ブロックが、第１のディジタル化されたビデオ信号、第１のディジタル化されたオーディオ信号、または第１のディジタル化されたビデオ信号と第１のディジタル化されたオーディオ信号との双方を圧縮するように構成され、前記受信システムが復号器ブロックを含み、該復号器ブロックが、第２のディジタル化されたビデオ信号、第２のディジタル化されたオーディオ信号、または第２のディジタル化されたビデオ信号と第２のディジタル化されたオーディオ信号との双方を解凍するように構成され、前記符号器ブロックが、ディジタル化されたビデオ信号を圧縮するビデオ符号器、ディジタル化されたオーディオ信号を圧縮するオーディオ符号器、およびビデオ符号器とオーディオ符号器とに結合されたマルチプレクサを含み、前記復号器ブロックが、第２のディジタル化されたビデオ信号を解凍するビデオ復号器、第２のディジタル化されたオーディオ信号を解凍するオーディオ復号器、およびビデオ復号器とオーディオ復号器とに結合されたデマルチプレクサを含む、請求項１に記載のデバイス。
【請求項３】
前記符号器ブロックが、更に、第１の切り替え手段を含み、該第１の切り替え手段が、ディジタル化されたオーディオ信号をオーディオ符号器へ切り替え、ディジタル化されたビデオ信号をビデオ符号器へ切り替え、またはディジタル化されたオーディオ信号をオーディオ符号器へ切り替えると共にディジタル化されたビデオ信号をビデオ符号器へ切り替えるように構成された、請求項２に記載のデバイス。
【請求項４】
前記復号器ブロックが、更に、第２の切り替え手段を含み、該第２の切り替え手段が、デマルチプレクサからの出力信号をビデオ復号器、オーディオ復号器、またはビデオ復号器とオーディオ復号器との双方へ切り替えるように構成され、デマルチプレクサからの出力信号が、第２のビデオ信号、第２のオーディオ信号、および第２のビデオ信号と第２のオーディオ信号との双方から成るグループから選択される、請求項２に記載のデバイス。
【請求項５】
前記符号器ブロックがハードウェア符号器ブロックを含み、前記復号器ブロックがハードウェア復号器ブロックを含む、請求項２に記載のデバイス。
【請求項６】
前記符号器ブロックがソフトウェア符号器ブロックを含み、前記復号器ブロックがソフトウェア復号器ブロックを含む、請求項２に記載のデバイス。
【請求項７】
前記送信システムが、更に、ビデオ信号を受け取るビデオ入力デバイス、オーディオ信号を受け取るオーディオ入力デバイス、ビデオ信号およびオーディオ信号をディジタル化するアナログ・ディジタル（Ａ／Ｄ）変換器ブロック、ディジタル化されたビデオおよびオーディオ信号の少なくとも１つを変調して少なくとも１つの変調された信号を生成する変調器、少なくとも１つの変調された信号を送信する送信器、および送信器へ結合されたアンテナを含み、前記受信システムが、更に、第２の変調された信号を受信するためアンテナへ結合された受信器、第２の変調された信号を復調する復調器、第２のディジタル化されたビデオ信号をアナログ・ビデオ信号へ変換し、第２のディジタル化されたオーディオ信号をアナログ・オーディオ信号へ変換するディジタル・アナログ（Ｄ／Ａ）変換器ブロック、アナログ・ビデオ信号を表示するビデオ出力デバイス、およびアナログ・オーディオ信号を出力するオーディオ出力デバイスを含む、請求項２に記載のデバイス。
【請求項８】
前記ビデオ入力デバイスがビデオカメラを含み、前記ビデオ出力デバイスがモニタを含む、請求項７に記載のデバイス。
【請求項９】
前記モニタが、液晶表示（ＬＣＤ）モニタおよび陰極線管（ＣＲＴ）モニタから成るグループから選択される、請求項８に記載のデバイス。
【請求項１０】
前記モニタが、カラー・モニタおよびモノクロ・モニタから成るグループから選択される、請求項８に記載のデバイス。
【請求項１１】
前記双方向無線通信機が、ファミリー無線サービス（ＦＲＳ）および一般移動無線サービス（ＧＭＲＳ）から成るグループから選択されたサービスを介してオーディオおよびビデオ信号を送受信するように構成された、請求項１に記載のデバイス。
【請求項１２】
ビデオ信号およびオーディオ信号の双方が、Ｍｏｖｉｎｇ  Ｐｉｃｔｕｒｅｓ  Ｅｘｐｅｒｔｓ  Ｇｒｏｕｐ−４（ＭＰＥＧ−４）およびＨ．２６３から成るグループから選択されたディジタル圧縮標準を使用してディジタル的に圧縮され、第２のビデオ信号および第２のオーディオ信号の双方が、ＭＰＥＧ−４およびＨ．２６３から成るグループから選択されたディジタル解凍標準を使用してディジタル的に解凍される、請求項１に記載のデバイス。
【請求項１３】
ディジタル的に圧縮されたビデオ信号およびディジタル的に圧縮されたオーディオ信号の双方が、約１０キロビット／秒（Ｋｂｐｓ）から約２０Ｋｂｐｓの範囲の帯域幅で送信される、請求項１２に記載のデバイス。
【請求項１４】
送信システムを含む双方向無線通信機を提供し、ここで前記送信システムがビデオ入力デバイス、オーディオ入力デバイス、アナログ・ディジタルＡ／Ｄ変換器ブロック、符号器ブロック、変調器、および送信器を含み、
前記Ａ／Ｄ変換器ブロックによって、前記ビデオ入力デバイスからのビデオ信号および前記オーディオ入力デバイスからのオーディオ信号を受信およびディジタル化し、
前記符号器ブロックによって、ディジタル化されたオーディオ信号、ディジタル化されたビデオ信号、またはディジタル化されたオーディオ信号とディジタル化されたビデオ信号との双方をディジタル的に圧縮し、
前記変調器によって、ディジタル的に圧縮されたオーディオ信号、ディジタル的に圧縮されたビデオ信号、またはディジタル的に圧縮されたオーディオ信号とディジタル的に圧縮されたビデオ信号との双方を変調して、ディジタル的に圧縮および変調された信号を生成し、
前記送信器によって、ディジタル的に圧縮および変調された信号を送信する
ことを含む方法。
【請求項１５】
前記符号器ブロックがビデオ符号器、オーディオ符号器、およびビデオ符号器とオーディオ符号器とに結合されたマルチプレクサを含み、前記ビデオ符号器がビデオ信号をディジタル的に圧縮し、前記オーディオ符号器がオーディオ信号をディジタル的に圧縮する、請求項１４に記載の方法。
【請求項１６】
更に、切り替え手段によって、ディジタル化されたオーディオ信号を前記オーディオ符号器へ切り替え、ディジタル化されたビデオ信号を前記ビデオ符号器へ切り替え、またはディジタル化されたオーディオ信号を前記オーディオ符号器へ切り替えると共にディジタル化されたビデオ信号を前記ビデオ符号器へ切り替えることを含む、請求項１５に記載の方法。
【請求項１７】
前記符号器ブロックがハードウェア符号器ブロックを含む、請求項１４に記載の方法。
【請求項１８】
前記符号器ブロックがソフトウェア符号器ブロックを含む、請求項１４に記載の方法。
【請求項１９】
前記ビデオ入力デバイスがビデオカメラを含む、請求項１４に記載の方法。
【請求項２０】
更に、ファミリー無線サービス（ＦＲＳ）および一般移動無線サービス（ＧＭＲＳ）から成るグループから選択されたサービスを介してディジタル的に圧縮および変調された信号を送信することを含む、請求項１４に記載の方法。
【請求項２１】
ディジタル化されたオーディオ信号およびディジタル化されたビデオ信号をディジタル的に圧縮することが、Ｍｏｖｉｎｇ  Ｐｉｃｔｕｒｅｓ  Ｅｘｐｅｒｔｓ  Ｇｒｏｕｐ−４（ＭＰＥＧ−４）から成るグループから選択されたディジタル圧縮標準を使用する、請求項１４に記載の方法。
【請求項２２】
更に、ディジタル的に圧縮および変調された信号を、約１０キロビット／秒（Ｋ／ｂｓ）から約２０Ｋ／ｂｓの範囲の帯域幅で送信することを含む、請求項１４に記載の方法。
【請求項２３】
更に、前記双方向無線通信機が、更に、受信システムを含み、前記受信システムが受信器、復調器、復号器ブロック、ディジタル・アナログＤ／Ａ変換器ブロック、ビデオ出力デバイス、およびオーディオ出力デバイスを含み、
前記受信器によって、第２の双方向無線通信機から第２のディジタル的に圧縮および変調された信号を受信し、
前記復調器によって、第２のディジタル的に圧縮および変調された信号を復調し、
前記復号器ブロックによって、第２のディジタル的に圧縮されたオーディオ信号、第２のディジタル的に圧縮されたビデオ信号、または第２のディジタル的に圧縮されたオーディオ信号と第２のディジタル的に圧縮されたビデオ信号との双方を含む第２のディジタル的に圧縮された信号を解凍し、
前記Ｄ／Ａ変換器ブロックによって、前記解凍およびディジタル化された信号のいずれかをアナログ信号へ変換し、
前記オーディオ出力デバイス、前記ビデオ出力デバイス、または前記オーディオ出力デバイスと前記ビデオ出力デバイスとの双方へアナログ信号を出力する
ことを含む、請求項１４に記載の方法。
【請求項２４】
前記復号器ブロックがビデオ復号器、オーディオ復号器、およびビデオ復号器とオーディオ復号器に結合されたデマルチプレクサを含み、前記ビデオ復号器が第２のディジタル的に圧縮されたビデオ信号を解凍し、前記オーディオ復号器が第２のディジタル的に圧縮されたオーディオ信号を解凍する、請求項２３に記載の方法。
【請求項２５】
更に、前記デマルチプレクサからの出力信号を解凍するため第２の切り替え手段によって切り替えることを含み、第２のディジタル的に圧縮されたビデオ信号、第２のディジタル的に圧縮されたオーディオ信号、および第２のディジタル的に圧縮されたビデオ信号と第２のディジタル的に圧縮されたオーディオ信号との双方から成るグループから出力信号が選択される、請求項２４に記載の方法。
【請求項２６】
前記復号器ブロックがハードウェア復号器ブロックを含む、請求項２３に記載の方法。
【請求項２７】
前記復号器ブロックがソフトウェア復号器ブロックを含む、請求項２３に記載の方法。
【請求項２８】
前記ビデオ出力デバイスがモニタを含み、前記オーディオ出力デバイスが増幅器およびスピーカを含む、請求項２３に記載の方法。
【請求項２９】
更に、ファミリー無線サービス（ＦＲＳ）および一般移動無線サービス（ＧＭＲＳ）から成るグループから選択されたサービスを介して、第２のディジタル的に圧縮および変調された信号を受信することを含む、請求項２３に記載の方法。
【請求項３０】
第２のディジタル的に圧縮された信号が、Ｍｏｖｉｎｇ  Ｐｉｃｔｕｒｅｓ  Ｅｘｐｅｒｔｓ  Ｇｒｏｕｐ−４（ＭＰＥＧ−４）から成るグループから選択されたディジタル圧縮標準を使用して圧縮される、請求項２３に記載の方法。
【請求項３１】
更に、約１０キロビット／秒（Ｋ／ｂｓ）から約２０Ｋ／ｂｓの範囲の帯域幅で第２のディジタル的に圧縮された信号を受信することを含む、請求項２３に記載の方法。
【発明の詳細な説明】
【技術分野】
【０００１】
本発明は、双方向無線通信機でオーディオ信号および／またはビデオ信号を送受信する装置および関連方法に関する。
【背景技術】
【０００２】
双方向無線通信機は、典型的には、データの送受信で十分な柔軟性を提供するとは言えない。したがって、データの送受信で、より多くの柔軟性を提供する双方向無線通信機の必要性が存在する。
【発明の開示】
【課題を解決するための手段】
【０００３】
本発明は、送信システムおよび受信システムを含む双方向無線通信機であって、送信システムが第１のディジタル化されたビデオ信号を送信するように構成され、送信システムが第１のディジタル化されたオーディオ信号を送信するように構成され、受信システムが第２のディジタル化されたビデオ信号を受信するように構成され、受信システムが第２のディジタル化されたオーディオ信号を受信するように構成された双方向無線通信機を含むデバイスを提供する。
【０００４】
本発明は、送信システムを含む双方向無線通信機を提供し、ここで送信システムがビデオ入力デバイス、オーディオ入力デバイス、アナログ・ディジタルＡ／Ｄ変換器ブロック、符号器ブロック、変調器、および送信器を含み、
Ａ／Ｄ変換器ブロックによって、ビデオ入力デバイスからのビデオ信号およびオーディオ入力デバイスからのオーディオ信号を受信およびディジタル化し、
符号器ブロックによって、ディジタル化されたオーディオ信号、ディジタル化されたビデオ信号、またはディジタル化されたオーディオ信号およびディジタル化されたビデオ信号の双方をディジタル的に圧縮し、
変調器によって、ディジタル的に圧縮されたオーディオ信号、ディジタル的に圧縮されたビデオ信号、またはディジタル的に圧縮されたオーディオ信号およびディジタル的に圧縮されたビデオ信号の双方を変調して、ディジタル的に圧縮された変調信号を生成し、
送信器によって、ディジタル的に圧縮された変調信号を送信することを含む方法を提供する。
【０００５】
本発明は、ビデオ・データおよびオーディオ・データの双方を双方向無線通信機に送受信させることによって、双方向無線通信機がデータを送受信するときの、より大きな柔軟性を提供する。
【発明を実施するための最良の形態】
【０００６】
図１は、本発明の実施形態に従って、送信システム１および受信システム２４を含む双方向無線通信機５５が第２の双方向無線通信機５８と通信しているブロック図を示す。第２の双方向無線通信機５８は双方向無線通信機５５と同等のものである。第２の双方向無線通信機５８は送信システム１０１および受信システム１２４を含む。
【０００７】
送信システム１（詳細なブロック図は、図２を参照）は、オーディオ信号、ビデオ信号、またはオーディオ信号並びにビデオ信号の双方を一緒に第２の双方向無線通信機５８へ送信するように構成される。受信システム２４（詳細なブロック図は、図３を参照）は、第２のオーディオ信号、第２のビデオ信号、または第２のオーディオ信号並びに第２のビデオ信号の双方を一緒に第２の双方向無線通信機５８から受信するように構成される。双方向無線通信機５５および５８は、特に、ビデオ能力を有する携帯用無線電話器を含む。
【０００８】
図２は、本発明の実施形態に従った図１の送信システム１の詳細なブロック図を示す。送信システム１は、ビデオ入力デバイス２、オーディオ入力デバイス３、アナログ・ディジタルＡ／Ｄ変換器ブロック２２、コマンド入力デバイス８、符号器ブロック９、変調器１５、送信器１６、およびアンテナ２０を含む。ビデオ入力デバイス２は、当業者に知られている任意のビデオ入力デバイス、たとえば、特にビデオカメラであってよい。ビデオ入力デバイス２は、ビデオ・データ、たとえば、特にユーザのビデオを受け取るために使用される。オーディオ入力デバイス３は、当業者に知られている任意のオーディオ入力デバイス、たとえば、特にマイクロホンであってよい。オーディオ入力デバイス３は、オーディオ・データ、たとえば、特にユーザの音声を受け取るために使用される。ビデオ入力デバイス２は、アナログ・ディジタル（Ａ／Ｄ）変換器ブロック２２へビデオ・データを送信する。アナログ・ディジタル（Ａ／Ｄ）変換器ブロック２２は、ビデオ・データをディジタル・ビデオ信号へ変換するビデオＡ／Ｄ変換器４を含む。オーディオ入力デバイス３は、オーディオ・データをアナログ・ディジタルＡ／Ｄ変換器ブロック２２へ送信する。アナログ・ディジタルＡ／Ｄ変換器ブロック２２は、オーディオ・データをディジタル・オーディオ信号へ変換するオーディオＡ／Ｄ変換器５を含む。符号器ブロック９は、ビデオ符号器１０、オーディオ符号器１２、切り替え手段１１、およびマルチプレクサ１４を含む。符号器ブロック９は、低ビットレート符号器ブロックであってよい。切り替え手段１１は、オーディオＡ／Ｄ変換器５からのディジタル化されたオーディオ信号をオーディオ符号器１２へ送信するか、ビデオＡ／Ｄ変換器４からのディジタル化されたビデオ信号をビデオ符号器１０へ送信するか、ディジタル化されたオーディオ信号をオーディオ符号器１２へ送信すると共にディジタル化されたビデオ信号をビデオ符号器１０へ送信するために使用される。コマンド入力デバイス８は、ユーザが符号器ブロック９を制御するコマンド、たとえば、特に符号化、ビットレート、ビデオ解像度などの信号を入力することを可能にする。コマンド入力デバイス８は、当業者に知られている任意の入力デバイス、たとえば、特にキーパッド、キーボードなどを含んでよい。符号器ブロック９は、ハードウェア符号化ブロックまたはソフトウェア符号器ブロックを含んでよい。ハードウェア符号器ブロックは、符号器ブロック９の中の全ての構成要素を専用ハードウェアとして含む。専用ハードウェアは、ハードウェア符号器（ビデオ符号器１０、オーディオ符号器１２）、ハードウェア切り替え手段（切り替え手段１１）、およびハードウェア・マルチプレクサ（たとえば、集積回路（ＩＣ））を含む。ハードウェア符号器は、当業者に知られている任意のハードウェア符号器、たとえば、特にＡＳＩＣなどであってよい。ハードウェア切り替え手段は、当業者に知られている任意のハードウェア切り替え手段、たとえば、特にハードウェア・スイッチ、機械的継電器、ソリッドステート継電器などを含んでよい。ハードウェア切り替え手段は、ユーザ指定に依存して、ディジタル化されたオーディオ信号、ディジタル化されたビデオ信号、またはそれら信号の組み合わせを、それぞれのハードウェア符号器（オーディオ符号器５、ビデオ符号器４）に対して物理的に接続または切り離して、指定された信号のみの圧縮を生じさせる。圧縮された信号のみが、図１の第２の双方向無線通信機５８へ送信される。あるいは、ソフトウェア符号器ブロック９は、符号器ブロック９の中の全ての構成要素をソフトウェア・ブロックとして含む。ソフトウェア・ブロックは、ソフトウェア符号器（ビデオ符号器１０、オーディオ符号器１２）、ソフトウェア切り替え手段（切り替え手段１１）、およびソフトウェア・マルチプレクサ（たとえば、多重化アルゴリズム）を含む。ソフトウェア符号器ブロック９によって、ユーザは符号化の特徴、たとえば、特にビデオ解像度、ビットレートなどをプログラムすることができる。ビデオ解像度は、当業者に知られている任意のフォーマット、たとえば、特に共通インタフェース・フォーマット（ＣＩＦ）、クォーターＣＩＦなどを含んでよい。ソフトウェア符号器は、当業者に知られている任意のソフトウェア符号器、たとえば、特にメディア・プロセッサ（たとえば、フィリップス社のＮｅｘｐｅｒｉａ（登録商標））、ディジタルシグナルプロセッサ（ＤＳＰ）などであってよい。ソフトウェア切り替え手段は、ユーザ指定に依存して、オーディオまたはビデオの符号化を可能／不可能にし（ソフトウェア符号化アプリケーションの中で）、指定された信号のみの圧縮を生じさせる。ソフトウェアの切り替えは、アルゴリズムを使用して実現されてよい。ハードウェア符号化またはソフトウェア符号化は、当業者に知られている任意の圧縮標準、たとえば、特に、Ｍｏｖｉｎｇ  Ｐｉｃｔｕｒｅｓ  Ｅｘｐｅｒｔｓ  Ｇｒｏｕｐ−４（ＭＰＥＧ−４）およびＨ．２６３を使用してよい。圧縮された信号はマルチプレクサ１４によって多重化される。多重化された信号は、変調器１５によって変調され、送信器１６によってアンテナ２０を介して送信される。変調された信号は、当業者に知られている任意のサービス、たとえば、特にファミリー無線サービス（ＦＲＳ）、一般移動無線サービス（ＧＭＲＳ）などを介して送信されてよい。変調された信号は、ＦＲＳおよびＧＭＲＳ周波数帯域を介して送信するとき、特に約１０キロビット／秒（ｋｂｐｓ）から約２０ｋｂｐｓの範囲の帯域幅で送信されてよい。変調された信号が、より大きな周波数帯域で送信されるとき、より高いビットレートが達成され得る。変調された信号は、復調器３２によって復調され、復号器ブロック３４へ送信される。双方向無線通信機は、変調された信号を、ＦＲＳおよび／またはＧＭＲＳサービスを介して送信する能力を含んでよい。ＦＲＳの周波数範囲は、次の表１で示される。
【０００９】
【表１】
2006510305.tif 000003
【００１０】
表１は、各々の帯域（たとえば、４６２ＭＨＺ範囲における通信路１〜７、４６７ＭＨＺ範囲における通信路８〜１４）における連続した通信路の間で２５ＫＨＺの間隔を示す。変調された信号は、この２５ＫＨＺ間隔の中で送信されてよい。あるいは、変調された信号は、より高いビットレート・ストリームが達成されるように、多数の通信路を介して送信されてよい。多数の通信路のビットレート・ストリームは、特に約５Ｋｂｐｓから約６４Ｋｂｐｓの範囲であってよい。
【００１１】
ＧＭＲＳの周波数範囲は、次の表２で示される。
【表２】
2006510305.tif 000004
【００１２】
表２は、各々の帯域（たとえば、４６２ＭＨＺ範囲における通信路１〜８、４６７ＭＨＺ範囲における通信路９〜１６）における連続した通信路の間で２５ＫＨＺの間隔を示す。変調された信号は、この２５ＫＨＺ間隔の中で送信されてよい。あるいは、変調された信号は、より高いビットレート・ストリームが達成されるように、多数の通信路を介して送信されてよい。多数通信路のビットレート・ストリームは、特に約５（Ｋｂｐｓ）から約６４Ｋｂｐｓの範囲であってよい。
【００１３】
図３は、本発明の実施形態に従った図１の受信システム２４の詳細なブロック図を示す。受信システム２４は、図２のアンテナ２０、受信器２９、復調器３２、復号器ブロック３４、図２のコマンド入力デバイス８、ディジタル／アナログ（Ｄ／Ａ）変換器ブロック５０、ビデオ出力デバイス４４、およびオーディオ出力デバイス４６を含む。変調された信号は、他のデバイス、たとえば、図１の第２の双方向無線通信機５８からアンテナ２０を介して受信器２９によって受信される。変調された信号は、当業者に知られている任意のサービス、たとえば、特にファミリー無線サービス（ＦＲＳ）、一般移動無線サービス（ＧＭＲＳ）などを介して受信されてよい。変調された信号は、ＦＲＳおよびＧＭＲＳ周波数帯域で受信されるとき、約１０キロビット／秒（ｋｂｐｓ）から約２０Ｋｂｐｓの範囲の帯域幅で受信されてよい。変調された信号が、より大きな周波数帯域で受信されるとき、より高いビットレートが達成される。変調された信号は、復調器３２によって復調され、復号器ブロック３４へ送信される。双方向無線通信機は、ＦＲＳおよび／またはＧＭＲＳサービスを介して、変調された信号を受信する能力を含んでよい。ＦＲＳの周波数範囲は、図２を説明した表１で示され、ＧＭＲＳの周波数範囲は、図２を説明した表２で示される。表１（ＦＲＳ）は、各々の帯域（たとえば、４６２ＭＨＺ範囲における通信路１〜７、４６７ＭＨＺ範囲における通信路８〜１４）における連続した通信路の間に２５ＫＨＺの間隔が存在することを示す。更に、表２（ＧＭＲＳ）は、各々の帯域（たとえば、４６２ＭＨＺ範囲における通信路１〜８、４６７ＭＨＺ範囲における通信路９〜１６）における連続した通信路の間に２５ＫＨＺの間隔が存在することを示す。変調された信号は、この２５ＫＨＺ間隔の中で受信されてよい。あるいは、変調された信号は、より高いビットレート・ストリームが達成されるように、多数の通信路を介して受信されてよい。多数通信路のビットレート・ストリームは、特に約５Ｋｂｐｓから約６４Ｋｂｐｓの範囲にあってよい。復号器ブロック３４は、ビデオ復号器３５、オーディオ復号器３８、第２の切り替え手段３７、およびデマルチプレクサ３６を含む。復号器ブロック３４は低ビットレート復号器ブロックであってよい。デマルチプレクサ３６は、復調された信号を受信し、信号を、圧縮されたビデオ信号および圧縮されたオーディオ信号へ逆多重化する。圧縮されたオーディオ信号をオーディオ復号器３８へ送信し、圧縮されたビデオ信号をビデオ復号器３５へ送信し、または圧縮されたオーディオ信号をオーディオ復号器３８へ送信すると共に圧縮されたビデオ信号をビデオ復号器３５へ送信するため、第２の切り替え手段３７が使用される。コマンド入力デバイス８は、ユーザが復号器ブロック３４を制御するためコマンド、たとえば、特に復号、ビデオ解像度などの信号を入力できるようにする。コマンド入力デバイス８は、当業者に知られている任意の入力デバイス、たとえば、特にキーパッド、キーボードなどを含んでよい。復号器ブロック３４は、ハードウェア復号器ブロックまたはソフトウェア復号器ブロックを含んでよい。ハードウェア復号器ブロックは、復号器ブロック３４の中の全ての構成要素を専用ハードウェアとして含む。専用ハードウェアは、ハードウェア復号器（ビデオ復号器３５、オーディオ復号器３８）、第２のハードウェア切り替え手段（切り替え手段３７）、およびハードウェア・マルチプレクサ（たとえば、集積回路（ＩＣ））を含む。ハードウェア復号器は、当業者に知られている任意のハードウェア復号器、たとえば、特にＡＳＩＣなどであってよい。第２のハードウェア切り替え手段は、当業者に知られている任意のハードウェア切り替え手段、たとえば、特にハードウェア・スイッチ、機械的継電器、ソリッドステート継電器などを含んでよい。ハードウェア切り替え手段は、ユーザ指定に依存して、圧縮されたオーディオ信号、圧縮されたビデオ信号、またはこれらの組み合わせを、それぞれのハードウェア復号器（オーディオ復号器３８、ビデオ復号器３５）に対して物理的に接続するか切り離して、指定された信号のみの解凍を生じさせる。解凍された信号のみが、処理のためにＤ／Ａ変換器ブロック５０へ送信される。あるいは、ソフトウェア復号器ブロックは、復号器ブロック３４の中の全ての構成要素をソフトウェア・ブロックとして含む。ソフトウェア・ブロックは、ソフトウェア復号器（ビデオ復号器３４、オーディオ復号器３８）、第２のソフトウェア切り替え手段（切り替え手段３７）、およびソフトウェア・マルチプレクサ（たとえば、多重化アルゴリズム）を含む。ソフトウェア復号器ブロックによって、ユーザは、復号の特徴、たとえば、特にビデオ解像度、ビットレートなどをプログラムすることができる。ビデオ解像度は、当業者に知られている任意のフォーマット、たとえば、特に共通インタフェース・フォーマット（ＣＩＦ）、（ＱＣＩＦ）などを含んでよい。ソフトウェア復号器は、当業者に知られている任意のソフトウェア復号器、たとえば、特にメディア・プロセッサ（たとえばフィリップス社のＮｅｘｐｅｒｉａ（登録商標））、ディジタルシグナルプロセッサ（ＤＳＰ）などであってよい。第２のソフトウェア切り替え手段は、ユーザ指定に依存してオーディオまたはビデオの復号を可能／不可能にし（ソフトウェア復号アプリケーションで）、指定された信号のみの解凍を生じさせる。ソフトウェア切り替えは、アルゴリズム、たとえば、図５のアルゴリズムを使用して実現されてよい。ハードウェア復号またはソフトウェア復号は、当業者に知られている任意の解凍標準、たとえば、特にＭｏｖｉｎｇ  Ｐｉｃｔｕｒｅｓ  Ｅｘｐｅｒｔｓ  Ｇｒｏｕｐ−４（ＭＰＥＧ−４）およびＨ．２６３を使用することができる。解凍された信号は、ビデオＤ／Ａ変換器４０およびオーディオＤ／Ａ変換器４２を含むＤ／Ａ変換器ブロック５０によってアナログ信号へ変換される。アナログ・オーディオ信号はオーディオ出力デバイス４６へ送信され、アナログ・ビデオ信号はビデオ出力デバイス４４へ送信される。ビデオ出力デバイス４４は、当業者に知られている任意のビデオ出力デバイス、たとえば、特にモニタであってよい。モニタは、当業者に知られている任意のモニタ、たとえば、特に液晶表示（ＬＣＤ）モニタ、陰極線管（ＣＲＴ）モニタ、カラー・モニタ、モノクロ・モニタなどであってよい。ビデオ出力デバイス４４は、ビデオ・データ、たとえば、特にユーザのビデオを受け取るために使用される。オーディオ出力デバイス４６は、当業者に知られている任意のオーディオ出力デバイス、たとえば、特に増幅器およびスピーカなどであってよい。オーディオ出力デバイス４６は、オーディオ・データ、たとえば、特にユーザの音声を受け取るために使用される。
【００１４】
図４は、本発明の実施形態に従った図２の送信システム１の処理を示すアルゴリズムのフローチャートである。ステップ６０において、ユーザはオーディオ信号（たとえば、ユーザの音声）およびビデオ信号（たとえば、ユーザのビデオ）を入力する。オーディオ信号およびビデオ信号は、ステップ６２でディジタル化される。ユーザは、コマンド入力デバイス８（図２を参照）を介してコマンドを入力し、ディジタル化されたオーディオ信号、ディジタル化されたビデオ信号、またはディジタル化されたオーディオ信号およびディジタル化されたビデオ信号の双方をステップ６３で圧縮する。ステップ６３で、もしユーザがディジタル化されたオーディオ信号のみの圧縮を選択すれば、オーディオ信号は、ステップ６４で圧縮され、ステップ６７で多重化され、ステップ６９で変調され、ステップ７０で送信される。ステップ６３で、もしユーザがディジタル化されたビデオ信号のみの圧縮を選択すれば、ビデオ信号は、ステップ６６で圧縮され、ステップ７９で多重化され、ステップ８０で変調され、ステップ８２で送信される。ステップ６３で、もしユーザがディジタル化されたビデオ信号およびディジタル化されたビデオ信号の双方の圧縮を選択すれば、オーディオ信号およびビデオ信号は、ステップ６５で圧縮され、ステップ７３で多重化され、ステップ７５で変調され、ステップ７７で送信される。
【００１５】
図５は、本発明の実施形態に従った図３の受信システム２４の処理を示すアルゴリズムのフローチャートである。ステップ８３において、ユーザは、図１の第２の双方向無線通信機から、圧縮されたオーディオ信号（たとえば、ユーザの音声）および圧縮されたビデオ信号（たとえば、ユーザのビデオ）を受け取る。圧縮されたオーディオ信号および圧縮されたビデオ信号はステップ８４で復調され、ステップ８５で逆多重化される。圧縮されたオーディオ信号、圧縮されたビデオ信号、または圧縮されたオーディオ信号および圧縮されたビデオ信号の双方を受け取るため、ステップ８６で、ユーザはコマンド入力デバイス８（図３を参照）を介してコマンドを入力する。ステップ８６で、もしユーザが、圧縮されたオーディオ信号のみの受け取りを選択すれば、オーディオ信号がステップ８８で解凍され、ステップ８９でアナログ信号へ変換され、ステップ９０でオーディオ出力デバイス４６（図３）へ出力される。ステップ８６で、もしユーザが、圧縮されたビデオ信号のみの受け取りを選択すれば、ビデオ信号がステップ９６で解凍され、ステップ９７でアナログ信号へ変換され、ステップ９８でビデオ信号デバイス４４（図３）へ出力される。ステップ８６で、もしユーザが、圧縮されたビデオ信号および圧縮されたオーディオの双方の受け取りを選択すれば、ビデオ信号およびオーディオ信号はステップ９２で解凍され、ステップ９３でアナログ信号へ変換され、ステップ９４でビデオ出力デバイス４４（図３）およびオーディオ出力デバイス４６へ出力される。
【００１６】
本発明の実施形態は、例証を目的として説明されたが、多くの修正および変更が当業者に明らかであろう。したがって、添付の特許請求の範囲は、本発明の真の趣旨および範囲に入るような全ての修正および変更を包含することを意図される。
【図面の簡単な説明】
【００１７】
【図１】本発明の実施形態に従って、双方向無線通信機が第２の双方向無線通信機と通信するときのブロック図である。
【図２】本発明の実施形態に従った送信システムの詳細なブロック図である。
【図３】本発明の実施形態に従った受信システムの詳細なブロック図である。
【図４】本発明の実施形態に従った図２の送信システムの処理を示すアルゴリズムのフローチャートである。
【図５】本発明の実施形態に従った図３の受信システムの処理を示すアルゴリズムのフローチャートである。
【図１】
2006510305.tif 000005
【図２】
2006510305.tif 000006
【図３】
2006510305.tif 000007
【図４】
2006510305.tif 000008
【図５】
2006510305.tif 000009
【国際調査報告】
2006510305.tif 000010
2006510305.tif 000011
2006510305.tif 000012